(57)【要約】【課題】ドア設計に影響を与えることなく、ドアロックの強制解除を可能とするドラム式洗濯機を提供する。【解決手段】ドラム式洗濯機１は、装置本体１０と、装置本体１０の前面側に設けられるドア２０と、ドア２０を閉めた状態でロックするドアスイッチ１２とを備えている。ドアスイッチ１２は、電気的な作動によるドアロックが解除可能であると共に、ドアスイッチ１２に接続されたドアロック強制解除用の紐１３を引くことでドアロックを強制的に解除することも可能である。紐１３は、ドアスイッチ１２から上方に延ばされると共に、装置本体１０の上面にある上面フレーム板１０４を外すことで外部に露出するように配置されている。上面フレーム板１０４は、ドア２０が閉まった状態であっても装置本体１０から取り外し可能とされている。【選択図】図３
2019024744.tif 000002
【特許請求の範囲】
【請求項１】
装置本体と、該装置本体の前面側に設けられるドアと、前記ドアを閉めた状態でロックするドアロック装置とを備えたドラム式洗濯機であって、
前記ドアロック装置は、電気的な作動によるドアロックが解除可能であると共に、該ドアロック装置に接続されたドアロック強制解除用の紐を引くことでドアロックを強制的に解除することも可能な構成であり、
前記紐は、前記ドアロック装置から上方に延ばされると共に、前記装置本体上面にある上面フレーム板を外すことで外部に露出するように配置されており、
前記上面フレーム板は、前記ドアが閉まった状態であっても前記装置本体から取り外し可能であることを特徴とするドラム式洗濯機。
【請求項２】
請求項１に記載のドラム式洗濯機であって、
前記装置本体は、上面フレーム板を外した時に外部に露出する紐保持部を有しており、
前記紐は、前記紐保持部によって前記ドアロック装置から上方に延ばされた状態で保持されることを特徴とするドラム式洗濯機。
【請求項３】
請求項２に記載のドラム式洗濯機であって、
前記紐保持部は、前記紐の先端に形成された結び目を係止することで保持する紐係止孔を有していることを特徴とするドラム式洗濯機。
【請求項４】
請求項２または３に記載のドラム式洗濯機であって、
前記紐保持部は、正面視において前記装置本体の左側に設けられる右開きドア用紐保持部と、正面視において前記装置本体の右側に設けられる左開きドア用紐保持部とを含んでいることを特徴とするドラム式洗濯機。
【請求項５】
請求項３に記載のドラム式洗濯機であって、
前記紐保持部は、正面視において前記装置本体の左側に設けられる右開きドア用紐保持部と、正面視において前記装置本体の右側に設けられる左開きドア用紐保持部とを含んでおり、
前記紐には複数の結び目が設けられており、少なくとも一つの結び目は前記右開きドア用紐保持部に対応する箇所に設けられ、他の少なくとも一つの結び目は前記左開きドア用紐保持部に対応する箇所に設けられていることを特徴とするドラム式洗濯機。
【発明の詳細な説明】
【技術分野】
【０００１】
本発明は、ドラム式洗濯機に関し、特にドアロックの強制解除機能を備えたドラム式洗濯機に関する。
【背景技術】
【０００２】
ドラム式洗濯機は、回転槽が装置前面で開口するように配置されるため、洗濯機の動作時に回転槽を閉じるドアも装置前面側に設けられる。また、洗濯機の動作中にドアの開放が生じないように、動作中のドアはドアロック装置によってロックされるようになっている。
【０００３】
このようなドアロック装置は、通常、ドア側に設けられたフックと、装置本体側に設けられたドアスイッチとからなる。ドアスイッチは、ドアが閉められた状態でドア側のフックを保持し続けるドアロック状態を実現できるようになっている。また、ドアスイッチは、電気駆動式のアクチュエータ（例えばソレノイド）と、アクチュエータに連結された保持部材とを有しており、保持部材が第１の位置にある場合にはドアロック状態が維持され、保持部材が第２の位置にある場合にはドアロック状態が解除されるようになっている。すなわち、ドアロックを解除する時には、アクチュエータによって保持部材を第２の位置に移動させることでドアロック解除するようになっている（特許文献１）。
【０００４】
電気駆動式のアクチュエータを用いてドアロックを解除するドアロック装置では、ドアロック中に、アクチュエータが故障したり、停電や配線の接触不良等でアクチュエータを動作できなくなったりした場合に、手動でドアロック解除を行う必要が生じる。
【０００５】
このため、特許文献１に開示されたドアロック装置は、ドアロック解除を手動操作で行うための強制解除機能を有している。具体的には、保持部材に紐をつなぎ、サービスマンがこの紐を引っ張ることで保持部材を第２の位置に移動させ、ドアロック解除できる構成とされている。
【０００６】
ドアロック強制解除用の紐は、ドアスイッチから下方に垂らされ、通常時は装置本体のフレーム内に格納されて操作できないようにされている。そして、ドアロックの強制解除が必要となった時には、サービスマン（もしくはユーザ）が装置前面の下方にある下フレーム板を外すことで上記紐が露出し操作できるようになる。これにより、ドラム式洗濯機の動作時などに上記紐が不用意に操作されてドアロック解除されることを防止できる。
【先行技術文献】
【特許文献】
【０００７】
【特許文献１】特開２０１２−７５６８２号公報
【発明の概要】
【発明が解決しようとする課題】
【０００８】
特許文献１の構成では、ドアロック強制解除用の紐を操作する場合、装置前面の下方にある下フレーム板を外す必要がある。この時、当然ながら、ドアロックが強制解除されるまではドアを開くことができないため、ドアが閉まっている状態でも下フレーム板を外せるような設計とされる必要がある。すなわち、ドアの形状や配置位置は、下フレーム板を外すことを阻害しないように制限される。このため、特許文献１を含む従来のドラム式洗濯機では、ドアは回転槽の開口に合わせた略円形状のドアとされることが一般的であった。
【０００９】
このようなドア設計の制限は、ドラム式洗濯機における表示部や操作部の設計にも影響を与えるものであり、その結果、ユーザの操作性を向上させるような表示部や操作部の設計にも制限が生じるという問題がある。
【００１０】
本発明は、上記課題に鑑みてなされたものであり、ドア設計に影響を与えることなく、ドアロックの強制解除を可能とするドラム式洗濯機を提供することを目的とする。
【課題を解決するための手段】
【００１１】
上記の課題を解決するために、本発明は、装置本体と、該装置本体の前面側に設けられるドアと、前記ドアを閉めた状態でロックするドアロック装置とを備えたドラム式洗濯機であって、前記ドアロック装置は、電気的な作動によるドアロックが解除可能であると共に、該ドアロック装置に接続されたドアロック強制解除用の紐を引くことでドアロックを強制的に解除することも可能な構成であり、前記紐は、前記ドアロック装置から上方に延ばされると共に、前記装置本体上面にある上面フレーム板を外すことで外部に露出するように配置されており、前記上面フレーム板は、前記ドアが閉まった状態であっても前記装置本体から取り外し可能であることを特徴としている。
【００１２】
上記の構成によれば、ユーザの操作性を向上させることができるように、例えば大型で矩形状のドアを備えたドラム式洗濯機において、ドア設計に影響を与えることなく、ドアロックの強制解除を可能とすることができる。すなわち、ドアロックを強制解除するための紐は、ドアロック装置から上方に延ばされると共に、装置本体上面にある上面フレーム板を外すことで外部に露出する。上面フレーム板は、ドアが閉まった状態であっても装置本体から取り外し可能であるため、ドアロック解除用のアクチュエータの故障時や停電時においても、ドアロックの強制解除が可能となる。
【００１３】
また、上記ドラム式洗濯機では、前記装置本体は、上面フレーム板を外した時に外部に露出する紐保持部を有しており、前記紐は、前記紐保持部によって前記ドアロック装置から上方に延ばされた状態で保持される構成とすることができる。
【００１４】
上記の構成によれば、ドアロック装置から上方に延ばされた紐を、装置本体内に落下させること無く保持することができる。
【００１５】
また、上記ドラム式洗濯機では、前記紐保持部は、前記紐の先端に形成された結び目を係止することで保持する紐係止孔を有している構成とすることができる。
【００１６】
上記の構成によれば、紐保持部を簡易な構成で実現することができる。
【００１７】
また、上記ドラム式洗濯機では、前記紐保持部は、正面視において前記装置本体の左側に設けられる右開きドア用紐保持部と、正面視において前記装置本体の右側に設けられる左開きドア用紐保持部とを含んでいる構成とすることができる。
【００１８】
上記の構成によれば、紐保持部を右開きドア用と左開きドア用との両方準備し、タイプに応じて使い分けることにより、ドラム式洗濯機が右開きドアおよび左開きドアの何れのタイプであっても、紐の配置経路を簡単なものとすることができ、ドアロック装置および紐の取付工程を簡略化できる。
【００１９】
また、上記ドラム式洗濯機では、前記紐保持部は、正面視において前記装置本体の左側に設けられる右開きドア用紐保持部と、正面視において前記装置本体の右側に設けられる左開きドア用紐保持部とを含んでおり、前記紐には複数の結び目が設けられており、少なくとも一つの結び目は前記右開きドア用紐保持部に対応する箇所に設けられ、他の少なくとも一つの結び目は前記左開きドア用紐保持部に対応する箇所に設けられている構成とすることができる。
【００２０】
上記の構成によれば、紐に形成される結び目を複数個とすることにより、右開きドアタイプと左開きドアタイプとで紐の必要長さが異なっていても、同一のドアロック装置を使用することができる。
【発明の効果】
【００２１】
本発明のドラム式洗濯機は、ユーザの操作性を向上させることができるように、大型で矩形状のドアを備えたドラム式洗濯機において、ドア設計に影響を与えることなく、ドアロックの強制解除が可能になるといった効果を奏する。
【図面の簡単な説明】
【００２２】
【図１】本発明の実施形態に係るドラム式洗濯機のドアが閉じた状態の外観を示す斜視図である。
【図２】図１のドラム式洗濯機のドアが開いた状態の外観を示す斜視図である。
【図３】ドラム式洗濯機のフレーム内に格納されるドアスイッチとドアロック強制解除用の紐との配置を示す概略図であり、左開きドアタイプを示した図である。
【図４】ドラム式洗濯機の装置本体から上面フレーム板を外した状態を示す斜視図である。
【図５】上面フレーム板を外した装置本体の上面図である。
【図６】紐保持部の拡大図であり、（ａ）は紐保持部が紐を保持している状態の斜視図、（ｂ）は紐保持部の形状例を示す平面図である。
【図７】上面フレーム板を外した装置本体の上面図であり、さらに制御回路ユニットを外した状態を示す図である。
【図８】ドラム式洗濯機のフレーム内に格納されるドアスイッチとドアロック強制解除用の紐との配置を示す概略図であり、右開きドアタイプを示した図である。
【図９】ドアスイッチとドアロック強制解除用の紐における結び目の形成例を示す図である。
【発明を実施するための形態】
【００２３】
〔実施の形態１〕
以下、本発明の実施の形態について、図面を参照して詳細に説明する。
【００２４】
図１は、本実施の形態１に係るドラム式洗濯機１のドア２０が閉じた状態の外観を示す斜視図である。図２は、ドラム式洗濯機１のドア２０が開いた状態の外観を示す斜視図である。以下、説明の便宜上、ドア２０が設けられた方向を前面側（前方）とする。また、本願におけるドラム式洗濯機１は、洗濯のみを行うドラム式洗濯機に限定されるものではなく、洗濯及び乾燥を行うことのできるドラム式洗濯乾燥機をも含むものである。また、図１，２は、左開きドアタイプのドラム式洗濯機１を例示している。
【００２５】
ドラム式洗濯機１は、装置本体１０と、装置本体１０の前面側に設けられるドア２０とを備えている。装置本体１０における外箱前面部１０１は、外箱平面部１０１Ａと、上傾斜部１０１Ｂとを有している。外箱平面部１０１Ａは、略垂直方向に延在する。上傾斜部１０１Ｂは、外箱平面部１０１Ａの上方に延在すると共に、外箱平面部１０１Ａに対して後方に傾斜している。
【００２６】
また、装置本体１０は内部に回転槽１１を有しており、回転槽１１は外箱前面部１０１にて開口している。これにより、回転槽１１には、外箱前面部１０１側の開口から衣類等の洗濯物を出し入れすることができる。
【００２７】
ドア２０は、側方の一方の端部をヒンジによって装置本体１０に対して回動可能に取り付けられており、外箱前面部１０１にて回転槽１１の開口を開閉できるようにされている。本実施の形態１において、ドア２０の形状は、回転槽１１の開口に合わせた略円形状とはされておらず、正面視で略矩形状とされている。
【００２８】
より具体的には、ドア２０は、ドア本体部２１と傾斜部２２とを備えている。ドア本体部２１は、正面視で矩形状をしており、略垂直方向に延在する。ドア本体部２１における矩形状とは、そのコーナー部が丸みを有する形態も含む。傾斜部２２は、ドア本体部２１の上方に延在すると共に、ドア本体部２１に対して後方に傾斜している。すなわち、傾斜部２２の上端がドア本体部２１よりも後方に位置するように傾斜部２２は傾斜している。また、ドア２０におけるドア本体部２１および傾斜部２２は、装置本体１０の外箱前面部１０１における外箱平面部１０１Ａおよび上傾斜部１０１Ｂにそれぞれ対応した位置関係を有している。
【００２９】
ドア本体部２１は、その前面のほぼ全体が透光性を有する材料（例えばガラス材料）からなるドア前パネル部２１１とされている。また、ドア本体部２１の裏面側には、透光性を有する材料（例えば樹脂材料）からなる突出閉止部２１２が設けられている。これにより、ドア２０が閉じられた状態において、ドア２０の前面側からドア前パネル部２１１および突出閉止部２１２を通じて回転槽１１内部を視認できるようになっている。
【００３０】
また、ドア２０が閉じられた状態において、突出閉止部２１２の後方頂部の一部が回転槽１１の開口内に挿入されるようになっており、突出閉止部２１２の外周面が回転槽１１の開口周辺のパッキンに密着して、回転槽１１内の液体が外部に漏れることを防止するようになっている。
【００３１】
ドア２０の傾斜部２２には、その前面側に表示操作部２２１が配設される。表示操作部２２１は、例えばタッチパネルにて構成されており、ドラム式洗濯機１における動作状態、各種設定、ユーザへのメッセージ等の各種情報を表示したり、ユーザによる入力操作を受け付けたりできるようになっている。
【００３２】
本実施の形態１に係るドラム式洗濯機１では、ドア本体部２１と傾斜部２２とからなる矩形状のドア２０を備えることで、以下のような様々な利点が得られる。
(a) 矩形状のドア２０が回転槽１１の開口を閉じることで、装置本体１０の外箱前面部１０１とドア２０との間に凹凸が形成されにくくなり、清掃性が良好となる。
(b) 後方に傾斜した傾斜部２２の前面側に表示操作部２２１を配設することで、表示操作部２２１の面積を大きくすることができ、表示操作部２２１の操作性および視認性が向上する。
(c) 正面視で、ドア２０の上方において傾斜部２２が後方に引っ込んだ形態となっており、ドラム式洗濯機１がコンパクトになると共に圧迫感が軽減される。
(d) 表示操作部２２１がドア２０側に設けられることで、装置本体１０の上面に表示操作部を設ける必要が無くなり、装置本体１０の上方の空間を有効活用できる。
【００３３】
続いて、ドラム式洗濯機１におけるドアロック装置について説明する。本実施の形態１で使用されるドアロック装置は、公知の構成のものが使用されるため、ここでは簡単な説明に留める。ドラム式洗濯機１におけるドアロック装置は、ドア２０側に設けられたフック２３と、装置本体１０側に設けられたドアスイッチ１２（図３参照）とからなる。
【００３４】
フック２３は、ドア２０の裏面側において、ヒンジによる回動側と反対側の側部に設けられている。また、ドアスイッチ１２は、図３に示すように、装置本体１０のフレーム内に格納されているが、ドアスイッチ１２の前面側には外箱平面部１０１Ａのフック２３と対向する位置に開口部１０２が形成されている。ドア２０が閉じられた時、フック２３は開口部１０２を通じて装置本体１０のフレーム内に案内され、ドアスイッチ１２によって把持される。
【００３５】
ドラム式洗濯機１の非動作時（回転槽１１の非回転時）には、ユーザがドア２０を引けばドア２０は開くようになっている（ドアロック解除状態）。一方、ドラム式洗濯機１の動作時（回転槽１１の回転時）には、ドアスイッチ１２はフック２３の把持状態を保持し続け、ユーザがドア２０を引いてもドア２０は開かない（ドアロック状態）。
【００３６】
以下に示すドアロック機構は公知の構成であるため、詳細な説明は省略するが、ドアスイッチ１２はソレノイドと、ソレノイドに連結された保持部材とを有しており、保持部材が第１の位置にある場合にはドアロック状態が維持され、保持部材が第２の位置にある場合にはドアロック状態が解除されるようになっている。ドラム式洗濯機１の動作が停止すると、ドアスイッチ１２はソレノイドを駆動して保持部材を第２の位置に移動させ、ドアロック状態を解除する。すなわち、ドアスイッチ１２は、電気的な作動によりドアロック解除可能なものである。
【００３７】
また、ドアスイッチ１２は、ドアロック中に停電や配線の接触不良等でソレノイドを電気的に動作できなくなったりした場合に、手動でドアロック解除を行うための強制解除機能を有している。具体的には、図３に示すように、ドアスイッチ１２の保持部材に紐１３をつなぎ、サービスマン（もしくはユーザ）が紐１３を引っ張ることで保持部材を第２の位置に移動させ、ドアロック解除できる構成とされている。紐１３は、ユーザによる不用意な操作を防止するため、通常時は装置本体１０のフレーム内に格納されて操作できないようにされている。
【００３８】
本実施の形態１に係るドラム式洗濯機１では、紐１３はドアスイッチ１２から下に垂らされるのではなく、上方に延ばされて配置されている。その理由は以下のとおりである、
紐１３をドアスイッチ１２から下に垂らした場合、サービスマン（もしくはユーザ）がドアロック強制解除のために紐１３を引こうとすれば、装置本体１０前面の下方にある下フレーム板１０３（図１〜３参照）を外す必要がある。しかしながら、ドラム式洗濯機１では、下フレーム板１０３の上端は、ドア２０の下端よりも上方にあるため、ドア２０が閉まっている状態では下フレーム板１０３を外すことはできない。尚、ドア２０のサイズや下フレーム板１０３のサイズを小さくし、下フレーム板１０３の上端をドア２０の下端よりも下方に位置させれば、ドア２０が閉まっている状態で下フレーム板１０３を外すことも可能となる。しかしながら、その場合、下フレーム板１０３と外箱前面部１０１の間の分割線が正面視で常に見えることになることや、ドアを小さくする必要があり、外観設計上の制約が発生してしまう。また、下フレーム板１０３は、ドラム式洗濯機１の修理やメンテナンス時（特に排水機構の修理やメンテナンス時）に外されるものであり、下フレーム板１０３のサイズを小さくすることは、そのような修理やメンテナンスを行いにくくするものであり望ましくない。
【００３９】
これに対して、紐１３をドアスイッチ１２から上方に延ばして配置した構成では、ドアロック強制解除時に、装置本体１０上面にある上面フレーム板１０４（図１，２参照）を外すことで紐１３を引くことが可能となる。図４は、装置本体１０から上面フレーム板１０４を外した状態を示す斜視図である。図４から明らかなように、上面フレーム板１０４は、ドア２０が閉まっている状態でも装置本体１０から外すことが可能である。
【００４０】
図５は、上面フレーム板１０４を外した装置本体１０の上面図である。ドラム式洗濯機１は、上面フレーム板１０４を外した時に露出する内部フレーム等に、紐１３をひっかけて保持するための紐保持部１４が形成されている。図６は、紐保持部１４を詳細に示すための拡大図であり、（ａ）は紐保持部１４が紐１３を保持している状態の斜視図、（ｂ）は紐保持部１４の形状例を示す平面図である。
【００４１】
尚、図３では、紐保持部１４として、左ドア用紐保持部１４Ａと右開きドア用紐保持部１４Ｂとが設けられているが、左開きドアタイプのドラム式洗濯機１で使用されるのは、左ドア用紐保持部１４Ａである（ドア用紐保持部１４Ｂが設けられている理由については後述する）。また、図５では、右開きドア用紐保持部１４Ｂのみが視認可能であり、左ドア用紐保持部１４Ａは他の部材（制御回路ユニット）に隠れて視認できないが、実際には、制御回路ユニットの下に左ドア用紐保持部１４Ａが設けられている。図７は、図５における制御回路ユニットを外した状態を図示している。
【００４２】
紐保持部１４は、図６（ｂ）に示すように、紐通し孔１４１と紐案内溝１４２と紐係止孔１４３とが連結されてなる貫通孔である。紐通し孔１４１は、孔内部に紐１３を容易に通すことができるよう、紐１３の径よりも十分に大きな孔とされている。尚、図６（ｂ）では、紐通し孔１４１の形状は略矩形状とされているが、紐通し孔１４１の形状は特に限定されるものではない。
【００４３】
紐案内溝１４２は、紐通し孔１４１に通された紐１３を、紐係止孔１４３へ案内するための溝である。紐係止孔１４３は、紐１３を最終的に保持する位置に形成される孔である。紐保持部１４にて保持される紐１３は、図６（ａ）に示すように、先端付近に結び目１３１を作り、この結び目１３１を紐係止孔１４３に係止させることで保持される。このため、紐係止孔１４３は略円形状の孔とされ、紐係止孔１４３の径は、紐１３の径よりも僅かに大きく、結び目１３１の径よりも十分に小さいものとされる。これにより、サービスマン（もしくはユーザ）がドアロック強制解除のために紐１３を引く場合、紐１３は紐係止孔１４３に通されたままで引くことができる。この場合、サービスマンが引っ張った紐１３を離しても、離された紐１３は結び目１３１が紐係止孔１４３に引っ掛かり、それ以上落下することはない。
【００４４】
また、紐案内溝１４２の溝幅は、少なくとも紐係止孔１４３との接続側で紐１３の径よりも僅かに狭くされることが望ましい。これにより、ドラム式洗濯機１に生じる振動等によって、紐１３が紐係止孔１４３から紐案内溝１４２を通って紐通し孔１４１に戻ることを防止でき、紐１３が紐保持部１４から外れて落下することを防止できる。
【００４５】
〔実施の形態２〕
図１，２に示すドラム式洗濯機１では、左開きのドア２０を備えた形態を例示している。しかしながら、製品としてのドラム式洗濯機１では、使用される場所での配置レイアウトに応じて使いやすいものが選択できるように、右開きドアの製品と左開きドアの製品との２タイプが準備されることが一般的である。
【００４６】
このような２タイプ（右開きドアおよび左開きドア）の製品を準備するにあたって、それぞれのタイプに応じて設計を大きく異ならせることは、部品調達コストや製品組み立てコストを大きく増大させることになり望ましくない。したがって、実際の製品では、上記２タイプの製品において、殆どの部品や設計は共通化し、部品及び設計の異なる箇所が最小限となるように設計されている。本実施の形態２に係るドラム式洗濯機１でも、右開きドアおよび左開きドアの両方のタイプにおいて、多くの部品が共通化され、特にドアスイッチ１２を共通化することが前提構成とされている。
【００４７】
図８は、ドラム式洗濯機１のフレーム内に格納されるドアスイッチ１２とドアロック強制解除用の紐１３との配置を示す概略図であり、右開きドアタイプを示している。本実施の形態に係るドラム式洗濯機１では、図３および図８に示すように、紐保持部１４は、２つの紐保持部１４、すなわち、左開きドア用紐保持部１４Ａと、右開きドア用紐保持部１４Ｂとを含んでいる。左開きドア用紐保持部１４Ａは正面視において装置本体１０の右側に、右開きドア用紐保持部１４Ｂは正面視において装置本体１０の左側に設けられている。
【００４８】
図３に示す左開きドアのドラム式洗濯機１では、ドアスイッチ１２の上端側から引き出された紐１３は、左開きドア用紐保持部１４Ａによって保持される。一方、図８に示す右開きドアのドラム式洗濯機１では、ドアスイッチ１２の下端側から引き出された紐１３は、突起部（例えば、円柱リブ）１２１に引っ掛けるようにして反転屈曲させた後、右開きドア用紐保持部１４Ｂによって保持される。
【００４９】
本実施の形態２に係るドラム式洗濯機１では、図３および図８から明らかなように、右開きドアおよび左開きドアの何れのタイプにおいても、紐１３の配置経路を簡単なものとすることができる。このため、ドアスイッチ１２および紐１３の取付工程を簡略化できるといったメリットが得られる。
【００５０】
尚、図８に示す右開きドアのドラム式洗濯機１では、紐１３の向きを反転させるために突起部１２１を用いているが、この突起部１２１は、装置本体１０の内部フレームではなく、ドアスイッチ１２の外部フレームにおいて設けられていてもよい。
【００５１】
〔実施の形態３〕
本実施の形態３に係るドラム式洗濯機１では、図３および図８から明らかなように、右開きドアおよび左開きドアのタイプにて、ドアスイッチ１２から左ドア用紐保持部１４Ａまでの紐１３の長さと、ドアスイッチ１２から右開きドア用紐保持部１４Ｂまでの紐１３の長さとは異なっている（右開きドア用紐保持部１４Ｂまでの紐１３の方が長い）。これより、紐１３は距離が長い方に足りる長さを準備し、図９に示すように、紐１３に結び目１３１を二箇所形成する(結び目１３１Ａおよび１３１Ｂ)。そして、ドアスイッチ１２からの距離が短い場合（図３の例）は結び目１３１Ａを用い、ドアスイッチ１２からの距離が長い場合（図８の例）は結び目１３１Ｂを使用するとよい。これにより、ドアスイッチ１２を左開きドアタイプと右開きドアタイプとで共通化することができる。
【００５２】
今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００５３】
１      ドラム式洗濯機
１０    装置本体
１０３  下フレーム板
１０４  上面フレーム板
１１    回転槽
１２    ドアスイッチ（ドアロック装置）
１２１  突起部
１３    紐
１３１  結び目
１４    紐保持部
１４Ａ  左開きドア用紐保持部
１４Ｂ  右開きドア用紐保持部
１４１  紐通し孔
１４２  紐案内溝
１４３  紐係止孔
１６    突起部
２０    ドア
２１    ドア本体部
２２    傾斜部
２２１  表示操作部
２３    フック
【図１】
2019024744.tif 000003
【図２】
2019024744.tif 000004
【図３】
2019024744.tif 000005
【図４】
2019024744.tif 000006
【図５】
2019024744.tif 000007
【図６】
2019024744.tif 000008
【図７】
2019024744.tif 000009
【図８】
2019024744.tif 000010
【図９】
2019024744.tif 000011